(57)【特許請求の範囲】
【請求項１】
第１部材の第１ヒンジ筒と、第２部材の第２ヒンジ筒とに、ヒンジとしての係嵌組成体を嵌挿係止することにより、上記の第１、第２部材を所定の方向へ折り畳み可能にすると共に、閉成時と所要開成角度とにあって夫々の状態を保持自在とした折り畳み式機器の開閉保持用ヒンジ装置における閉止キャップであって、この閉止キャップは、前記第２部材と共転する係嵌組成体の軸杆における前記第１ヒンジ筒内に突出して端部に配設されたワッシャーに対して、当該ワッシャーが回転自在にして、かつ軸線方向への抜出阻止されるように係嵌されると共に、前掲第１ヒンジ筒に非回動状態にて内装されていることを特徴とする折り畳み式機器の開閉保持用ヒンジ装置における閉止キャップ。
【請求項２】
外側板部と内側係止板部との間にあって、係嵌口の開成された係嵌空所が離間形成され、係嵌組成体の外側端に当接して軸杆の端部に設けられたワッシャーを、上記係嵌口から係嵌空所に回動自在なるよう挿入することにより、当該ワッシャーから上記の内側係止板部が抜け止め状態にて係嵌被装されるようにした請求項１記載の折り畳み式機器の開閉保持用ヒンジ装置における閉止キャップ。
【発明の詳細な説明】
【０００１】
【発明の属する技術分野】
本発明は折り畳み式計算機、パーソナルコンピュータ、携帯電話機、ワードプロセッサーなどの折り畳み機器にあって、その機器本体に開閉自在なるよう枢着されたカバーを、閉成時と任意の開成角度とで夫々の状態を保持でき、しかも適度の力で当該保持状態を解除することのできる開閉保持用ヒンジ装置に係嵌されるヒンジとしての係嵌組成体に対し、これを隠蔽することで外観をよくすると共に、係嵌組成体のヒンジ構成部材へ塵埃等が進入することを阻止することのできる閉止キャップに係るものである。
【０００２】
【従来の技術】
前掲携帯電話機などにあって、その機器本体を閉成しているカバーが不本意に開成したり、開成時のカバーが使用中に閉成してしまったりすることを防止するのに、係止爪やマグネットなどを用いる旧来のロック手段によるときは、デザイン、実装上の制約、コスト高や操作性などの諸点で満足すべき結果が得られていない。そこで当該欠陥を解消するため、既に特開平７−１１８３１号公報に記載の提案がなされている。
【０００３】
上記提案のものは、図７ないし図１０によって以下説示するような構成を有している。すなわち図７と図８により理解される通り、機器本体１とカバー２とが、ヒンジ３によって任意の開成角度α゜だけ開閉自在に枢着され、当該ヒンジ３は機器本体１に固設の本体ヒンジ筒１ａと、カバー２に固設のカバーヒンジ筒２ａとを具備し、図８の如く本体ヒンジ筒１ａの本体当接端面１ｂとカバーヒンジ筒２ａのカバー当接端面２ｂとは、カバー２の開閉に際し摺接自在となっている。
【０００４】
そして、本体ヒンジ筒１ａには、回転止め状態にして軸線方向へはスライド自在なるよう固定ディスク４が内嵌され、このために本体ヒンジ筒１ａの内周面に設けたガイドリブ１ｃに、固定ディスク４のガイド溝４ａが係合されている。一方カバーヒンジ筒２ａには、これまた回転止め状態で可動ディスク５が内嵌され、このために図示例ではカバーヒンジ筒２ａ奥行内面における溝２ｃに、可動ディスク５の端面に形成したリブ５ａが係合されている。
【０００５】
さらに、当該従来例では上記固定ディスク４の固定突き合せ端面４ｂと、可動ディスク５の可動突き合せ端面５ｂの何れか一方、図示例では固定突き合せ端面４ｂに、図９（Ａ）（Ｃ）および図１０により理解される通り、係嵌凹所６が複数個（３個）、所定の周角度位置Ｎ１、Ｎ２、Ｎ３（カバー２の開成角度α゜によって決定される位置）にあって設けられており、他方すなわち図示例では図９（Ｂ）（Ｄ）と図１０に開示の如く、上記の係嵌凹所６に対して図１０ではコイルスプリング７に基づく弾力により係合することになる複数個（２個）の係嵌凸部８が、所定の周角度位置Ｐ１、Ｐ２にあって可動突き合せ端面５ｂから突出されている。
【０００６】
ここで上記のコイルスプリング７は図１０に示されている通り、固定ディスク４の固定突き合せ端面４ｂとは反対側にあって、外向きに開口された収納空洞４ｃに収納されていると共に、本体ヒンジ筒１ａの外側から挿入した螺杆９を、コイルスプリング７から固定ディスク４そして可動ディスク５を貫通して、その螺部先端９ａをカバーヒンジ筒２ａの底部２ｄに刻設した螺止孔２ｅに螺着させるようにしている。ここで図中９ｂは螺杆９の頭部を示している。
このため、コイルスプリング７は、その弾力により固定ディスク４を可動ディスク５側へ弾圧して、これにより係嵌凹所６に係嵌凸部８が係合することで、固定突き合せ端面４ｂが可動突き合せ端面５ｂに対して圧接することになる。
【０００７】
従って、図１０から理解されるように、カバー２を開動させることで、カバーヒンジ筒２ａと共に可動ディスク５が回動すると、その可動突き合せ端面５ｂから突設されている係嵌凸部８が、図９（Ｅ）に示す如く係嵌凹所６から円周方向へ脱出し、この際、コイルスプリング７の弾力に抗して固定ディスク４が、図１０の左側へ移動することとなり、係嵌凸部８の先端部が、固定突き合せ端面４ｂ上を摺動して円周方向へ回動することになる。
【０００８】
このため、図９にあって可動ディスク５の前記周角度位置Ｐ１、Ｐ２における係嵌凸部８が、カバー２の閉止状態では、固定ディスクの周角度位置Ｎ１、Ｎ２における係嵌凹所６に係嵌されているが、当該カバー２を開成角度α゜だけ開成した際には、上記一対の係嵌凸部８が、夫々周角度位置Ｎ３、Ｎ１の周角度位置における係嵌凹所６に、その係嵌を切り替え得ることになる。
【０００９】
以上の如く構成することで、当該従来例によるときは、係止爪やマグネットによるロックに比し、カバー２が機器本体１に対し閉時および開時にあって、不本意に回動してしまうことがないようにすることができ、またカバー２を必要に応じ簡易に開閉操作でき前掲旧来例の欠陥を大幅に改善することができる。
【００１０】
【発明が解決しようとする課題】
このように上記従来のヒンジ装置によるときは、望ましい効果を発揮し得ることになるが、前掲図８等によって理解される通り、これを組み付けるためにはカバー２内のカバーヒンジ筒２ａ内に可動ディスク５を係合して、溝２ｃにリブ５ａを係嵌し、一方機器本体１の本体ヒンジ筒１ａには固定ディスク４を嵌合して、ガイドリブ１ｃにガイド溝４ａを係嵌する。さらにコイルスプリング７を固定ディスク４に嵌装した後、螺杆９をコイルスプリング７に挿通することで当該螺杆９の螺部９ａを、カバーヒンジ筒２ａの底部２ｄに刻設した螺止孔２ｅに螺着することで、当該螺杆９の頭部９ｂによってコイルスプリング７の押縮による弾力により固定ディスク４を押圧し、これによりその固定突き合わせ端面４ｂを、可動ディスク５の可動突き合わせ端面５ｂに圧接するといった組み付け作業を行わねばならない。
【００１１】
そこで、順次第２（可動）ディスク、摺動ディスク、コイルスプリングに貫通して第１（固定）ディスクに装入した軸杆を、抜け止め状態にて固定してしまうことで、コイルスプリングの弾力によって上記の摺動ディスクを第２（可動）ディスクに弾接させ、摺動ディスクと第１（固定）ディスクにおけるスライド用溝の奥端縁との間に離間空所を形成しておくことで、第２部材（カバー）の開閉動に際して軸線方向へ移動されることとなる摺動ディスクが、上記の離間空所内で移動可能となるように一体化してなるヒンジとしての係嵌組成体を、予め構成しておくようにする。
そしてこの係嵌組成体を第１部材（機器本体）の第１（固定）ディスクと、第２部材（カバー）の第２（可動）ディスクとを、軸合わせ状態において嵌合するだけで、第１（固定）ディスクと第２（可動）ディスクに嵌合された当該係嵌組成体が、その第２ディスクを第２ヒンジ筒に対して抜け止め状態にて係止され、これにより第１部材と第２部材との開閉自在なる枢着状態が確保され、かくして折り畳み式機器の開閉保持用ヒンジにつき、その組み立ての作業性を大幅に向上させることができる。
【００１２】
さて本願に係る請求項１にあっては、上記の如きヒンジとしての係嵌組成体につき、これを第１部材の第１ヒンジ筒と、第２部材の第２ヒンジ筒とに嵌装係止するようにして構成した折り畳み式機器の開閉用ヒンジ装置に関し、当該係嵌組成体が収納されている第１部材の第１ヒンジ筒における開放された端口に嵌装することにより、外観をよくすると共に上記の係嵌組成体への塵埃浸入を阻止し、かつ上記の開放端口から不本意に抜け出してしまうことがなく、しかも係嵌組成体の回動と共動してしまうことのない閉止キャップを提供しようとするのが、その目的である。
そして、さらに請求項２によるときは上記の請求項１において、当該閉止キャップの外側板部と内側係止板部との間に形成の係嵌口から挿入した係嵌組成体のワッシャーを係嵌空所に挿入することで、上記請求項１に記載の目的をより効果的に達成しようとしている。
【００１３】
【課題を解決するための手段】
本発明は、上記の目的を達成するため、請求項１によるときは、第１部材の第１ヒンジ筒と、第２部材の第２ヒンジ筒とに、ヒンジとしての係嵌組成体を嵌挿係止することにより、上記の第１、第２部材を所定の方向へ折り畳み可能にすると共に、閉成時と所要開成角度とにあって夫々の状態を保持自在とした折り畳み式機器の開閉保持用ヒンジ装置における閉止キャップであって、この閉止キャップは、前記第２部材と共転する係嵌組成体の軸杆における前記第１ヒンジ筒内に突出して端部に配設されたワッシャーに対して、当該ワッシャーが回転自在にして、かつ軸線方向への抜出阻止されるように係嵌されると共に、前掲第１ヒンジ筒に非回動状態にて内装されていることを特徴とする折り畳み式機器の開閉保持用ヒンジ装置における閉止キャップを提供しようとしている。
【００１４】
そして、請求項２では上記した請求項１の閉止キャップにおいて、外側板部と内側係止板部との間にあって、係嵌口の開成された係嵌空所が離間形成され、係嵌組成体の外側端に当接して軸杆の端部に設けられたワッシャーを、上記係嵌口から係嵌空所に回動自在なるよう挿入することにより、当該ワッシャーから上記の内側係止板部が抜け止め状態にて係嵌被装されるようにしたことを、その内容としている。
【００１５】
【発明の実施の形態】
本発明に関し、まず図１〜図６によって折り畳み式機器の開閉保持用ヒンジ装置につき以下詳記すると、図１の（Ａ）によって理解される通り、折り畳み式機器の第１部材Ａにおける一端縁部にあって突設された第１ヒンジ筒１０と、第２部材Ｂの一端縁部にあって突設された第２ヒンジ筒１１と、これらの第１ヒンジ筒１０と第２ヒンジ筒１１とに嵌入係止される係嵌組成体Ｃとによって構成されている。ここで図示例では第１部材Ａが機器本体であり、第２部材Ｂは機器本体に対して開閉自在であるカバーを選定しているが、もちろん、これとは逆に第１部材Ａをカバーとし、第２部材Ｂを機器本体として特定するようにしてもよい。
【００１６】
上記の第１ヒンジ筒１０と第２ヒンジ筒１１とは、既知の通り同一軸線上にあって、第１ヒンジ筒１０の第１当接端周縁１０ａと、第２ヒンジ筒１１の第２当接端周縁１１ａとが摺接自在であり、これまた前記従来の如く上記の第１ヒンジ筒１０には、図１（Ｂ）そして図３で理解される通り、回転止め状態で係嵌組成体Ｃの第１ディスク１２が内嵌され、第２ヒンジ筒１１には、これまた回転止め状態で第２ディスク１３が夫々内嵌されている。
さらに、これまた従来例と同じく第１ディスク１２の第１突き合わせ端面１２ａと、第２ディスク１３の第２突き合わせ端面１３ａの何れか一方に、係嵌凹所１３ｂを所定の周角度位置にあって複数個だけ設け、他方には上記係嵌凹所１３ｂに対して、コイルスプリング１４による弾力により係合する複数の係嵌凸部１２ｂが設けられ、第１、第２部材Ａ、Ｂの閉時と開時にあって、上記係嵌凸部１２ｂの係嵌凹所１３ｂへの係嵌を、他の係嵌凹所１３ｂへ切り替えるようにした開閉保持用ヒンジ装置に係るものである。
【００１７】
本発明では上記の如き開閉保持用ヒンジ装置にあって、上記した第１ディスク１２は筒状本体１２Ａと、その側端縁１２ｃに欠設したスライド用溝１２ｄに内嵌して、軸線方向へスライド自在に嵌装した摺動ディスク１２Ｂとからなり、当該摺動ディスク１２Ｂには図示の如く前記の係嵌凸部１２ｂか、図示されていない係嵌凹所１３ｂを設けると共に、前記第２ディスク１３には抜け止め弾性爪１３ｃを設けるようにする。
さらに本発明に係る係嵌組成体ｃにあっては、順次上説の第２ディスク１３、第１ディスク１２における摺動ディスク１２Ｂそしてコイルスプリング１４に貫通して、さらに第１ディスク１２における筒状本体１２Ａに装入した軸杆１５を、抜け止め状態にて固定することにより、上記のコイルスプリング１４の弾力によって、前記の摺動ディスク１２Ｂにおける第１突き合わせ端面１２ａを第２ディスク１３の第２突き合わせ端面１３ａに弾接させるのである。
【００１８】
上記の弾接により摺動ディスク１２Ｂと前記したスライド用溝１２ｄの奥端縁１２ｅとの間にあって、係嵌凸部１２ｂと同等長以上の離間空所Ｓが、図１（Ｂ）において明示の如く形成されることで、これまで説示して来た係嵌組成体Ｃが構成されることになる。
ここで上記の構成説明中にあって、前記の第１ヒンジ筒１０に対する筒状本体１２Ａの回転止め状態による嵌合のため、図示例では第１ヒンジ筒１０の内周面に軸線方向へ対設したガイドリブ１０ｂに対して、筒状本体１２Ａの外周面に軸線方向へ対設したガイド溝１２ｆを係嵌するようにしてある。
【００１９】
さらに軸杆１５につき詳記すると、これは第２ディスク１３、摺動ディスク１２Ｂ、コイルスプリング１４そして第１ディスク１２の筒状本体１２Ａを一体に軸装することになるが、図示例では頭部１５ａから連設された回り止め基端部１５ｂと、さらに連設の棒状部１５ｃ、そして当該棒状部１５ｃに連設の細成先端部１５ｄとからなり、これにより棒状部１５ｃには先端受承縁１５ｅが形成されている。
そして上記の回り止め基端部１５ｂは、前記第２ディスク１３に貫設された回り止め軸孔１３ｄに嵌合されることで、第２部材Ｂを開閉動させれば第２ヒンジ筒１１と共に第２ディスク１３も回動することになり、この際図示例では回り止め基端部１５ｂと回り止め軸孔１３ｄとは四角形に形成されている。
【００２０】
さらに上記軸杆１５の細成先端部１５ｄには、第１ディスク１２の筒状本体１２Ａにおける端縁に当接してワッシャー１６が被嵌されており、当該細成先端部１５ｄの端末を、かしめることにより、当該ワッシャー１６を棒状部１５ｃの前記した先端受承縁１５ｅに押当固定するようにしてある。
【００２１】
次に第２ディスク１３としては図１ないし図３の如く、係嵌凹所１３ｂまたは係嵌凸部１２ｂを設けた基板部１３Ａと、これから突設されている弾性爪部１３Ｂとから構成されており、この弾性爪部１３Ｂには、一対の可変腕１３ｅが先細りのテーパ面１３ｆを備えて突設されていると共に、上記先細りのテーパ面１３ｆの基端側に前記の抜け止め弾性爪１３ｃが形成されている。そして図６に示されている第２ディスク１３にあっては４箇の可変腕１３ｅが突設され、上記の弾性爪部１３Ｂが角形に形成されているのに対し、割筒状に構成されている。
【００２２】
また図示例では前記の第２ヒンジ筒１１に、角形とした回り止め筒軸口１１ｂが側壁１１ｃに開口されており、第２ディスク１３がヒンジ筒１１に対して前記の如き係嵌組成体ｃの嵌装操作により内装されることで、第２ディスク１３の先細りのテーパ面１３ｆをもった可変腕１３ｅが縮径状態となって、上記の回り止め筒軸口１１ｂに嵌入して行き貫通状態となって縮径状態が復原することにより、抜け止め弾性爪１３ｃが、上記の側壁１１ｃにおける外壁面に係止されることになる。
従って図示例によるときは上記の基板部１３Ａと弾性爪部１３Ｂにおける抜け止め弾性爪１３ｃとの間にあって、第２ヒンジ筒１１の側壁１１ｃから軸心側へ突設されて、前記回り止め筒軸口１１ｂの開口されている抜け止め周縁部１１ｄが挟持されるようになっており、このことで係嵌組成体ｃは、連装された第１ヒンジ筒１０と第２ヒンジ筒１１とにわたって脱落することなく確実に内装されることになる。
【００２３】
従って図示例では第２部材Ａを第１部材Ｂに対して開閉動させることで、前記の従来例と同様にして第２ヒンジ筒１１の回動と共に第２ディスク１３を回動させ、これによりコイルスプリング１４の弾力に抗して、係嵌状態にあった係嵌凹所１３ｂと係嵌凸部１２ｂとの係合を解き、係嵌凸部１２ｂが第２ディスク１３の第２突き合わせ端面１３ａと摺動することになり、この際摺動ディスク１２Ｂは図１（Ｂ）の右方へ移動するが、離間空所Ｓの設定により支障なく当該移動が行われ、第２部材Ｂは閉成状態の保持から開成状態の保持位置に切り替えられることになる。
【００２４】
さて、本発明にあっては上説の如きヒンジとしての係嵌組成体Ｃにあって、その第１ディスク１２における筒状本体１２Ａの側端部を、閉止キャップ１７によって閉成することにより、外観をよくすると共に、係嵌組成体Ｃへの塵埃侵入を阻止するようにしている。
すなわち、本願の請求項１における閉止キャップ１７は、前説により理解される通り第１部材Ａの第１ヒンジ筒１０と、第２部材Ｂの第２ヒンジ筒１１とに、ヒンジとしての前記の如き係嵌組成体Ｃを嵌装係止することにより、上記の第１、第２部材Ａ、Ｂを所定の方向へ折り畳み可能にすると共に、開成時と所要開成角度とにあって夫々の状態を保持自在とした折り畳み式機器における開閉保持用ヒンジ装置に用いられるものである。
【００２５】
そしてこの閉止キャップ１７なるものは、図１、図３によって理解される通り、前記した第２部材Ｂの回動と共転することになる上記係嵌組成体Ｃの軸杆１５にあって、その第１ヒンジ筒１０内へ突出している端部に配設の前記したワッシャー１６に対して、次のように係嵌されている。
すなわち、当該係嵌の構成は、上記ワッシャー１６が第２部材Ｂの開閉動により回動自在にして、かつ軸杆１５の軸線方向への閉止キャップ１７の抜出が阻止されるようになっていると共に、この閉止キャップ１７は、第１ヒンジ筒１０に非回動状態となるよう内嵌されているのである。
従って当然のことながら、軸杆１５が回動しても、当該回動によって閉止キャップ１７が共転してしまうことなく静止状態のまま第１ヒンジ筒１０から抜出してしまうことなしに嵌合されることとなり、この結果ヒンジとしての係嵌組成体Ｃ内へ塵埃が侵入することなく、しかも良好な外観を保持することが可能となる。
【００２６】
次に上記閉止キャップ１７に係る請求項２につき以下説示すると、特に図３によって理解される通り前記請求項１の構成において、外側板部１７ａと内側係止板部１７ｂとの間に、周方向へ係嵌口１７ｃの開成された係嵌空所１７ｄが、離間形成されている。そして係嵌組成体Ｃの外側端に当接して軸杆１５の端部に設けられている前記のワッシャー１６を、上記の係嵌口１７ｃから係嵌空所１７ｄに、回動自在なるよう挿入することにより、このワッシャー１６から上記の内側係止板部１７ｂが、抜け止め状態にて係嵌被装されるようにしている。
従って、当然のことながら請求項２の閉止キャップ１７によるときには、第２部材Ｂの開閉動に伴い回動する係嵌組成体Ｃのワッシャー１６は、閉止キャップ１７の係嵌空所１７ｄ内にあって、閉止キャップ１７とは無関係に回動し、このため第１部材Ａの第１ヒンジ筒１０における非回転の抜け止め内嵌状態を保持することができる。
【００２７】
【発明の効果】
本発明は以上のようにして構成されていることから、ヒンジとしての係嵌組成体を、第１、第２部材の夫々第１、第２ヒンジ筒に嵌装係止するようにすればよい折り畳み式機器における開閉用ヒンジ装置にあって、係嵌組成体が収納される第１部材の第１ヒンジ筒における開放された端口に、閉止キャップを嵌装することで、外観を美麗にし得ると共に、各種部材を包含する係嵌組成体へ塵埃の侵入することを阻止することができる。
そして当該閉止キャップと軸杆におけるワッシャー部分との適切なる係嵌構成により、当然上記した開放端口から不本意に抜け出すことのない、しかも係嵌組成体が回動しても閉止キャップは共動しない閉止キャップを提供することが可能となる。
【００２８】
さらに請求項２では、上記の請求項１にあって閉止キャップの外側板部と内側係止板部との間に形成した係嵌口から、前掲ワッシャーを係嵌空所に係挿可能に構成したので、上記請求項１につき記載の目的を確実に達成することが可能となる。
【図面の簡単な説明】
【図１】本発明に係る閉止キャップを備えた折り畳み式機器の開閉保持用ヒンジ装置を示し、（Ａ）はその一実施態様を示す分解略示斜視図、（Ｂ）はその組立完成時における縦断正面図で、（Ｃ）は係嵌組立体を示した分解斜視図である。
【図２】図１（Ｂ）に係る組立完成時の第２ヒンジ筒を示した端面図である。
【図３】図１（Ｂ）に係る係嵌組立体の横断平面図である。
【図４】本発明に係る係嵌組成体の一部品である第２ディスクを示し、（Ａ）はその正面図、（Ｂ）はその右側面図、（Ｃ）はその背面図で（Ｄ）はその上面図である。
【図５】本発明に係る係嵌組成体の一部品である摺動ディスクを示し、（Ａ）はその正面図、（Ｂ）はその右側面図、（Ｃ）はその背面図で（Ｄ）はその上面図である。
【図６】第２ディスクの他実施例を示した斜視図である。
【図７】従来の折り畳み式機器の開成状態を示した斜視図である。
【図８】同上図７の分解斜視図である。
【図９】（Ａ）は図８の構成部材である固定ディスクの固定突き合わせ端面図、（Ｂ）は可動ディスクを示す可動突き合わせ端面図、（Ｃ）は（Ａ）のＣ−Ｃ線断面図、（Ｄ）は（Ｂ）のＤ−Ｄ線断面図、（Ｅ）は（Ｃ）の固定ディスクと（Ｄ）の可動ディスクの係嵌離脱途上を示す縦断面図である。
【図１０】図９の構成部材による従来のヒンジ装置を示した縦断正面図である。
【符号の説明】
１０    第１ヒンジ筒
１１    第２ヒンジ筒
１５    軸杆
１６    ワッシャー
１７    閉止キャップ
１７ａ  外側板部
１７ｂ  内側係止板部
１７ｃ  係嵌口
１７ｄ  係嵌空所
Ａ  第１部材
Ｂ  第２部材
Ｃ  係嵌組成体
【図１】
0003626434.tif 000002
【図２】
0003626434.tif 000003
【図３】
0003626434.tif 000004
【図４】
0003626434.tif 000005
【図５】
0003626434.tif 000006
【図６】
0003626434.tif 000007
【図７】
0003626434.tif 000008
【図８】
0003626434.tif 000009
【図９】
0003626434.tif 000010
【図１０】
0003626434.tif 000011